【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
上下かごを連結してなる複数台のダブルデッキエレベータを群管理制御するダブルデッキエレベータ制御装置において、各階の乗り場に設けられた上下方向の乗り場呼び釦からの乗り場呼びを登録する乗り場呼び登録手段と、偶数階床での乗り場呼びに対して上かごを応答させ奇数階床での乗り場呼びに対しては下かごを応答させるダブル運転モードであるときに、予め定めた条件を満たす特定階床の乗り場呼びに対して上下かご共に応答させる割り当て制御手段と、前記各ダブルデッキエレベータ毎に設けられ、ダブル運転モードの時に前記特定階床に限り上下かご共にかご呼びの登録を可能とするかご呼び登録手段と、前記割り当て制御手段で割り当てられた特定階床の乗り場呼びおよび前記かご呼び登録手段に登録された特定階床のかご呼びに応答するように上下かごを運転する運転制御手段と、前記割り当て制御手段で割り当てられた特定階床の乗り場呼びおよび前記かご呼び登録手段に登録された特定階床のかご呼びが共に存在し、前記特定階床で方向反転して乗り場呼びに応答する場合に、先頭かごのかご呼び到着時に前記特定階床の乗り場の乗客に対し、一旦は他かご乗客の降車のため逆方向に走行するが先に乗車することを促すための乗り場報知手段とを備えたことを特徴とするダブルデッキエレベータ制御装置。
【請求項２】
前記運転制御手段は、前記割り当て制御手段で割り当てられた特定階床の乗り場呼びおよび前記かご呼び登録手段に登録された特定階床のかご呼びが共に存在する場合に、上方向の乗り場呼びで有れば上かごのかご呼びに先に応答させ、下方向の乗り場呼びで有れば下かごのかご呼びに先に応答させるようにしたことを特徴とする請求項１に記載のダブルデッキエレベータ制御装置。
【請求項３】
前記ダブル運転のときに前記特定階床に上かごが到着したときは偶数階行きのかごであることを報知し、下かごが到着したときは奇数階行きのかごであることを報知する予報灯を設けたことを特徴とする請求項１または２に記載のダブルデッキエレベータ制御装置。
【請求項４】
前記特定階床の乗り場にてエレベータを戸閉させて出発を促すための乗り場戸閉釦を備えたことを特徴とする請求項１、２または３に記載のダブルデッキエレベータ制御装置。
【請求項５】
前記上下かごにそれぞれ設けられ、他かごが前記特定階床の乗り場に停止し戸開した場合に、他かごを戸閉させて出発を促すための他かご戸閉釦を備えたことを特徴とする請求項１、２、３または４に記載のダブルデッキエレベータ制御装置。
【手続補正２】
【補正対象書類名】明細書
【補正対象項目名】００１０
【補正方法】変更
【補正の内容】
【００１０】
【課題を解決するための手段】
請求項１に係る発明は、上下かごを連結してなる複数台のダブルデッキエレベータを群管理制御するダブルデッキエレベータ制御装置において、各階の乗り場に設けられた上下方向の乗り場呼び釦からの乗り場呼びを登録する乗り場呼び登録手段と、偶数階床での乗り場呼びに対して上かごを応答させ奇数階床での乗り場呼びに対しては下かごを応答させるダブル運転モードであるときに、予め定めた条件を満たす特定階床の乗り場呼びに対して上下かご共に応答させる割り当て制御手段と、前記各ダブルデッキエレベータ毎に設けられ、ダブル運転モードの時に前記特定階床に限り上下かご共にかご呼びの登録を可能とするかご呼び登録手段と、前記割り当て制御手段で割り当てられた特定階床の乗り場呼びおよび前記かご呼び登録手段に登録された特定階床のかご呼びに応答するように上下かごを運転する運転制御手段と、前記割り当て制御手段で割り当てられた特定階床の乗り場呼びおよび前記かご呼び登録手段に登録された特定階床のかご呼びが共に存在し、前記特定階床で方向反転して乗り場呼びに応答する場合に、先頭かごのかご呼び到着時に前記特定階床の乗り場の乗客に対し、一旦は他かご乗客の降車のため逆方向に走行するが先に乗車することを促すための乗り場報知手段とを備えたことを特徴とする。
【手続補正３】
【補正対象書類名】明細書
【補正対象項目名】００１１
【補正方法】変更
【補正の内容】
【００１１】
請求項２に係る発明は、請求項１に記載のダブルデッキエレベータ制御装置において、前記運転制御手段は、前記割り当て制御手段で割り当てられた特定階床の乗り場呼びおよび前記かご呼び登録手段に登録された特定階床のかご呼びが共に存在する場合に、上方向の乗り場呼びで有れば上かごのかご呼びに先に応答させ、下方向の乗り場呼びで有れば下かごのかご呼びに先に応答させるようにしたことを特徴とする。
【手続補正４】
【補正対象書類名】明細書
【補正対象項目名】００１２
【補正方法】変更
【補正の内容】
【００１２】
請求項３に係る発明は、請求項１または２に記載のダブルデッキエレベータ制御装置において、前記ダブル運転のときに前記特定階床に上かごが到着したときは偶数階行きのかごであることを報知し、下かごが到着したときは奇数階行きのかごであることを報知する予報灯を設けたことを特徴とする。
【手続補正５】
【補正対象書類名】明細書
【補正対象項目名】００１３
【補正方法】変更
【補正の内容】
【００１３】
請求項４に係る発明は、請求項１、２または３に記載のダブルデッキエレベータ制御装置において、前記特定階床の乗り場にてエレベータを戸閉させて出発を促すための乗り場戸閉釦を備えたことを特徴とする。
【手続補正６】
【補正対象書類名】明細書
【補正対象項目名】００１４
【補正方法】変更
【補正の内容】
【００１４】
請求項５に係る発明は、請求項１、２、３または４に記載のダブルデッキエレベータ制御装置は、前記上下かごにそれぞれ設けられ、他かごが前記特定階床の乗り場に停止し戸開した場合に、他かごを戸閉させて出発を促すための他かご戸閉釦を備えたことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６１
【補正方法】削除
【補正の内容】
【手続補正１６】
【補正対象書類名】明細書
【補正対象項目名】００６２
【補正方法】削除
【補正の内容】
【手続補正１７】
【補正対象書類名】明細書
【補正対象項目名】００６３
【補正方法】削除
【補正の内容】
【手続補正１８】
【補正対象書類名】明細書
【補正対象項目名】００６４
【補正方法】削除
【補正の内容】